(57)【特許請求の範囲】
【請求項１】
アルミ押出形材で構成するバルコニー等の手摺において、
建物の躯体部に立設される支柱部材と、支柱部材の上端部に保持される笠木と笠木と平行に設置される横桟部材をそなえ、
横桟部材は前部材と後部材に分割され、支柱部材の見付け面である前面に前部材を固着し、支柱部材に固設した前部材に対して支柱間の内法寸法長さに裁断した後部材を嵌合してなる支柱部材と横桟部材とのジョイント部材であって、
前記横桟部材は角パイプ形状で、前記支柱部材の前面と横桟部材の前部材との固着は固着部材を介して行われ、固着部材は、支柱部材の側面に当接するビス固着用リブと支柱部材の前面に当接するビス固着面を有するとともに、支柱部材の両側に横桟支持アームを突設する形状となし、
ビス固着用リブを支柱部材の一方の側面に当接し、ビス固着面を支柱部材の前面に当接し、ビス固着用リブとビス固着面をそれぞれ支柱部材の側面および前面に螺着されるビスで固定して、支柱部材の前面に固着部材を固着し、
横桟部材の前部材と後部材との分割位置において、前部材にビス受け厚肉部を有する中間リブを構成し、支柱部材の前面に固着された固着部材の横桟支持アームに前部材を前部材の中間リブを介してビスで固着し
支柱部材に固設した前部材に後部材を嵌合して一体化することを特徴とする手摺における支柱部材と横桟部材とのジョイント部材。
【請求項２】
アルミ押出形材で構成するバルコニー等の手摺において、
建物の躯体部に立設される支柱部材と、支柱部材の上端部に保持される笠木と笠木と平行に設置される横桟部材をそなえ、
横桟部材は前部材と後部材に分割され、支柱部材の見付け面である前面に前部材を固着し、支柱部材に固設した前部材に対して支柱間の内法寸法長さに裁断した後部材を嵌合してなる支柱部材と横桟部材とのジョイント部材であって、
前記横桟部材は角パイプ形状で、前記支柱部材は、見付け面の幅が見込み面である側面の幅に対してきわめて小さいフラットバー形状を有するものであり、
前記支柱部材の前面と横桟部材の前部材との固着は固着部材を介して行われ、固着部材は、支柱部材の側面に当接するビス固着用リブと支柱部材の前面に当接するビス固着面を有するとともに、支柱部材の両側に横桟支持アームを突設する形状となし、
ビス固着用リブを支柱部材の一方の側面に当接し、ビス固着面を支柱部材の前面に当接して、ビス固着用リブとビス固着面を支柱部材の側面および前面に螺着されるビスで固定し、支柱部材の前面に螺着されるビスは支柱部材の見付け面である前面の小さい幅を配慮して一本として、支柱部材の前面に固着部材を固着し、
横桟部材の前部材と後部材との分割位置において、前部材にビス受け厚肉部を有する中間リブを構成し、支柱部材の前面に固着された固着部材の横桟支持アームに前部材を前部材の中間リブを介してビスで固着し、
支柱部材に固設した前部材に後部材を嵌合して一体化することを特徴とする手摺における支柱部材と横桟部材とのジョイント部材。
【請求項３】
アルミ押出形材で構成するバルコニー等の手摺において、
建物の躯体部に立設される支柱部材と、支柱部材の上端部に保持される笠木と笠木と平行に設置される横桟部材をそなえ、
横桟部材は前部材と後部材に分割され、支柱部材の見付け面である前面に前部材を固着し、支柱部材に固設した前部材に対して支柱間の内法寸法長さに裁断した後部材を嵌合してなる支柱部材と横桟部材とのジョイント部材であって、
前記横桟部材は角パイプ形状で、前記支柱部材の前面と横桟部材の前部材との固着は固着部材を介して行われ、前記固着部材は、支柱部材を挟持して支柱部材の見込み面である両側面に当接するビス固着用リブと支柱部材の見付け面である前面に当接するビス固着面を有するとともに、支柱部材の両側に横桟支持アームを突設する形状となし、
ビス固着用リブを支柱部材の両側面に当接し、ビス固着面を支柱部材の前面に当接し、ビス固着用リブとビス固着面を支柱部材の両側面および前面に螺着されるビスで固定して、支柱部材の前面に固着部材を固着することを特徴とする手摺における支柱部材と横桟部材とのジョイント部材。
【請求項４】
アルミ押出形材で構成するバルコニー等の手摺において、
建物の躯体部に立設される支柱部材と、支柱部材の上端部に保持される笠木と笠木と平行に設置される横桟部材をそなえ、
横桟部材は前部材と後部材に分割され、支柱部材の見付け面である前面に前部材を固着し、支柱部材に固設した前部材に対して支柱間の内法寸法長さに裁断した後部材を嵌合してなる支柱部材と横桟部材とのジョイント部材であって、
前記横桟部材は角パイプ形状で、前記支柱部材は、見付け面の幅が見込み面である側面の幅に対してきわめて小さいフラットバー形状を有するものであり、
前記支柱部材の前面と横桟部材の前部材との固着は固着部材を介して行われ、前記固着部材は、支柱部材を挟持して支柱部材の見込み面である両側面に当接するビス固着用リブと支柱部材の見付け面である前面に当接するビス固着面を有するとともに、支柱部材の両側に横桟支持アームを突設する形状となし、
ビス固着用リブを支柱部材の両側面に当接し、ビス固着面を支柱部材の前面に当接し、ビス固着用リブとビス固着面を支柱部材の両側面および前面に螺着されるビスで固定し、支柱部材の前面に螺着されるビスは支柱部材の見付け面である前面の小さい幅を配慮して一本として、支柱部材の前面に固着部材を固着することを特徴とする手摺における支柱部材と横桟部材とのジョイント部材。
【請求項５】
見付け面の幅が見込み面である側面の幅に対してきわめて小さいフラットバー形状を有する前記支柱部材は、見付け面の幅が９ｍｍ、見込み面である側面の幅が５０ｍｍであることを特徴とする請求項２または４記載の手摺における支柱部材と横桟部材とのジョイント部材。
【請求項６】
前記支柱部材の支柱間に笠木と横桟部材が設置されたトップレールが形成されることを特徴とする請求項１〜５のいずれかに記載の手摺における支柱部材と横桟部材とのジョイント部材。
【請求項７】
前記支柱部材の支柱間に笠木とルーバー格子材を構成する横桟部材が設置された横ルーバータイプの手摺が形成されることを特徴とする請求項１〜５のいずれかに記載の手摺における支柱部材と横桟部材とのジョイント部材。
【発明の詳細な説明】
【技術分野】
【０００１】
本発明は、バルコニーやベランダの手摺に関するものであり、詳説すれば、手摺を構成する支柱と横部材を接合、固着するためのジョイント部材に関するものである。
【０００２】
本発明は、特に、角材形状の横桟を支柱間に取り付けてトップレールを形成したり、横桟形状のルーバー格子材等を何段にも支柱に取り付けて横ルーバータイプの手摺を形成するジョイント部材を提供するもので、該ジョイント部材にて接合、固着される横桟、または横桟形状のルーバー格子材は支柱に対して横通しのデザインを有する手摺を提供するものである。
【０００３】
また、本発明は、見付け面が極端に小さい細身の略フラットバー形状の支柱に細身の角材形状の横桟を取り付けてトップレールを形成したり、前記略フラットバー形状の支柱に、細身の横桟形状からなるルーバー格子材等を何段にも取り付けて横ルーバータイプの手摺を形成するジョイント部材を提供するものである。
【背景技術】
【０００４】
従来より、手摺の支柱と横桟を固着するためのジョイント構造は、種々の発明があるが、手摺構成部材がアルミ押出形材の場合には、溶接やカシメによってしか組み付けができず充分な強度が確保できないばかりでなく、該溶接やカシメが外れると補修が困難になる問題を有していた。
【０００５】
而して、上述の問題点を解決するために同一出願人による特許第３５６１７９９号公報（特許文献１）の発明がある。
【０００６】
特許文献１の発明は、アルミニュウム型材で構成するベランダ等の手摺において、手摺支柱の支柱間を手摺と平行になる杵材で構成する筒状の横桟材を前部材と後部材に分割し、前部材分割位置に中間リブを設け該中間リブの中央にビス受け厚肉部を構成して取付プレートを介して前記支柱の前面にビスで固着すると共に、該前記部材の分割位置に構成した嵌合構造と対応する嵌合構造を前記後部材の分割位置に設けて成り、前記支柱に固設した前部材に対応して支柱間の幅に裁断した後部材を該前部材に嵌合して一体化することをその要旨としている。
【０００７】
そして、特許文献１の発明は、手摺横桟材を二分割して前部材と後部材にし、両者を嵌合手段で後で一体化する構造にしたことにより、アルミニウム型材で構成した手摺横桟材を支柱にビスで固定することができる。従って、溶接したもの、またはカシメたもののように該部から破壊することがなくなり、破損した場合でもビスによって組み替えるだけで交換することができるものである。
【０００８】
また、特許文献１の発明は、構成が簡単で、又、予め工場での作業を済ませておき、現場での工数を減らすことが出来、経済的にも有効であるばかりでなく、種々のデザインにも対応することができる、のみならず、外観上、一見しただけでは、支柱に裁断箇所があるのか、あるいは、横桟に裁断箇所があるのかが判らない、といった意匠的面白さもある等の特徴を有するものであり、本発明の実施によって得られる効果は極めて大きいとしている。
【０００９】
然しながら、上記特許文献１の発明において、横桟材のジョイント部材となる取付プレートは、中央を支柱に対して二本のタッピングビスによって支柱の前面にクロスするように螺着している構成のために、取付プレートの支柱に対する螺着強度が、あまり強くない欠点がある。
【００１０】
即ち、特許文献１の発明においては、手摺支柱材の前面である見付け寸法は、２０〜３０ｍｍと比較的細身であり、該細身の手摺支柱の前面に二本のタッピングビスにて取付プレートを螺着して固定すると、該タッピングビス間のピッチが小さくしかとれない。従って、取付プレートが支持する横桟材に上下方向の力が加わった場合、取付プレートの小さすぎるピッチ間に回転力として加わるので、該取付プレートの取付強度はあまり堅牢でないとの問題を有していた。
【特許文献１】特許第３５６１７９９号公報
【発明の開示】
【発明が解決しようとする課題】
【００１１】
而して、本発明は、上記の問題に鑑みてなされたものであり、比較的細身の手摺支柱材に対して堅牢に螺着して固定できる手摺における支柱と横部材のジョイント部材を提供することを目的とするものである。
【００１２】
また、本発明は、手摺支柱材が、手摺のデザイン的な制約により、極端にその見付け寸法を小さくされた場合、即ち、特許文献１における手摺支柱材の前面となる見付け寸法が２０〜３０ｍｍで、該支柱材の見込み寸法が５０ｍｍであるのに対して、同じく手摺支柱材の前面となる見付け寸法は９ｍｍで、見込み寸法が５０ｍｍと云った略フラットバー形状の手摺支柱の場合にも、充分な強度を持って螺着して固定できるジョイント部材を提供するものである。
【００１３】
また、本発明は、角材形状の横桟を支柱間に取り付けてトップレールを形成したり、横桟形状のルーバー格子材等を何段にも支柱に取り付けて横ルーバータイプの手摺を形成するジョイント部材を提供するもので、該ジョイント部材にて接合、固着される横桟、または横桟形状のルーバー格子材は支柱に対して横通しのデザインを有する手摺を提供するものである。
【００１４】
更にまた、本発明は、見付け面が極端に小さい細身の略フラットバー形状の支柱に細身の角材形状の横桟を取り付けてトップレールを形成したり、前記略フラットバー形状の支柱に、細身の横桟形状からなるルーバー格子材等を何段にも取り付けて横ルーバータイプの手摺を形成するジョイント部材を提供するものである。
【課題を解決するための手段】
【００１５】
上記の目的を達成するための請求項１による手摺における支柱部材と横桟部材とのジョイント部材は、アルミ押出形材で構成するバルコニー等の手摺において、建物の躯体部に立設される支柱部材と、支柱部材の上端部に保持される笠木と笠木と平行に設置される横桟部材をそなえ、横桟部材は前部材と後部材に分割され、支柱部材の見付け面である前面に前部材を固着し、支柱部材に固設した前部材に対して支柱間の内法寸法長さに裁断した後部材を嵌合してなる支柱部材と横桟部材とのジョイント部材であって、前記横桟部材は角パイプ形状で、前記支柱部材の前面と横桟部材の前部材との固着は固着部材を介して行われ、固着部材は、支柱部材の側面に当接するビス固着用リブと支柱部材の前面に当接するビス固着面を有するとともに、支柱部材の両側に横桟支持アームを突設する形状となし、ビス固着用リブを支柱部材の一方の側面に当接し、ビス固着面を支柱部材の前面に当接し、ビス固着用リブとビス固着面をそれぞれ支柱部材の側面および前面に螺着されるビスで固定して、支柱部材の前面に固着部材を固着し、横桟部材の前部材と後部材との分割位置において、前部材にビス受け厚肉部を有する中間リブを構成し、支柱部材の前面に固着された固着部材の横桟支持アームに前部材を前部材の中間リブを介してビスで固着し、支柱部材に固設した前部材に後部材を嵌合して一体化することを特徴とする。
【００１６】
請求項２による手摺における支柱部材と横桟部材とのジョイント部材は、アルミ押出形材で構成するバルコニー等の手摺において、建物の躯体部に立設される支柱部材と、支柱部材の上端部に保持される笠木と笠木と平行に設置される横桟部材をそなえ、横桟部材は前部材と後部材に分割され、支柱部材の見付け面である前面に前部材を固着し、支柱部材に固設した前部材に対して支柱間の内法寸法長さに裁断した後部材を嵌合してなる支柱部材と横桟部材とのジョイント部材であって、前記横桟部材は角パイプ形状で、前記支柱部材は、見付け面の幅が見込み面である側面の幅に対してきわめて小さいフラットバー形状を有するものであり、前記支柱部材の前面と横桟部材の前部材との固着は固着部材を介して行われ、固着部材は、支柱部材の側面に当接するビス固着用リブと支柱部材の前面に当接するビス固着面を有するとともに、支柱部材の両側に横桟支持アームを突設する形状となし、ビス固着用リブを支柱部材の一方の側面に当接し、ビス固着面を支柱部材の前面に当接して、ビス固着用リブとビス固着面を支柱部材の側面および前面に螺着されるビスで固定し、支柱部材の前面に螺着されるビスは支柱部材の見付け面である前面の小さい幅を配慮して一本として、支柱部材の前面に固着部材を固着し、横桟部材の前部材と後部材との分割位置において、前部材にビス受け厚肉部を有する中間リブを構成し、支柱部材の前面に固着された固着部材の横桟支持アームに前部材を前部材の中間リブを介してビスで固着し、支柱部材に固設した前部材に後部材を嵌合して一体化することを特徴とする。
【００１７】
請求項３による手摺における支柱部材と横桟部材とのジョイント部材は、請求項１に記載の該ジョイント部材の構成のうち、前記固着部材を、支柱部材を挟持して支柱部材の見込み面である両側面に当接するビス固着用リブと支柱部材の見付け面である前面に当接するビス固着面を有するとともに、支柱部材の両側に横桟支持アームを突設する形状となし、ビス固着用リブを支柱部材の両側面に当接し、ビス固着面を支柱部材の前面に当接し、ビス固着用リブとビス固着面を支柱部材の両側面および前面に螺着されるビスで固定して、支柱部材の前面に固着部材を固着するよう構成したことを特徴とし、請求項４による手摺における支柱部材と横桟部材とのジョイント部材は、請求項２に記載の該ジョイント部材の構成のうち、前記固着部材を、上記の構成としたことを特徴とする。
【００１８】
請求項５による手摺における支柱部材と横桟部材とのジョイント部材は、請求項２または４において、見付け面の幅が見込み面である側面の幅に対してきわめて小さいフラットバー形状を有する前記支柱部材は、見付け面の幅が９ｍｍ、見込み面である側面の幅が５０ｍｍであることを特徴とする。
【００１９】
請求項６による手摺における支柱部材と横桟部材とのジョイント部材は、請求項１〜５のいずれかにおいて、前記支柱部材の支柱間に笠木と横桟部材が設置されたトップレールが形成されることを特徴とする。また、請求項７による手摺における支柱部材と横桟部材とのジョイント部材は、請求項１〜５のいずれかにおいて、前記支柱部材の支柱間に笠木とルーバー格子材を構成する横桟部材が設置された横ルーバータイプの手摺が形成されることを特徴とする。
【発明の効果】
【００２０】
斯くして本発明は、特許文献１等、従来の横桟部材のジョイント部材の欠点を改良し、、比較的細身の手摺支柱材に対して堅牢に螺着して固定できる手摺における支柱と横部材のジョイント部材を提供することができた。
【００２１】
また、本発明は、手摺支柱材が、手摺のデザイン的な制約により、極端にその見付け寸法を小さくされた場合、即ち、特許文献１における手摺支柱材の前面となる見付け寸法が２０〜３０ｍｍで、該支柱材の見込み寸法が５０ｍｍであるのに対して、同じく手摺支柱材の前面となる見付け寸法は９ｍｍで、見込み寸法が５０ｍｍと云った略フラットバー形状の手摺支柱の場合にも、充分な強度を持って螺着して固定できるジョイント部材を提供することができた。
【００２２】
そして、上記構成の手摺支柱材は、アルミ押出形材の場合には、略フラットバー形状であるが、該手摺支柱材をステンレス製のフラットバーで、例えば、９ｍｍ×５０ｍｍの部材に替えることにより、笠木や横桟がアルミ押出形材製で、手摺支柱がステンレス製という複合的材料を用いたトップレールや、横ルーバータイプの手摺を提供することができた。  
【００２３】
また、本発明は、角材形状の横桟を支柱間に取り付けてトップレールを形成したり、横桟形状のルーバー格子材等を何段にも支柱に取り付けて横ルーバータイプの手摺を形成するジョイント部材を提供するもので、該ジョイント部材にて接合、固着される横桟、または横桟形状のルーバー格子材は支柱に対して横通しのデザインを有する手摺を提供することができた。
【００２４】
更にまた、本発明は、見付け面が極端に小さい細身の略フラットバー形状の支柱に細身の角材形状の横桟を取り付けてトップレールを形成したり、前記略フラットバー形状の支柱に、細身の横桟形状からなるルーバー格子材等を何段にも取り付けて横ルーバータイプの手摺を形成するジョイント部材を提供することができた。
【発明を実施するための最良の形態】
【００２５】
本発明を実施するための最良の形態は、アルミ押出形材で構成するバルコニー等の手摺において、手摺の支柱部材は建物の躯体部に立設され、該立設された支柱部材の横桟接合部に設置される固着部材は前記支柱部材の見込み面に当接するビス固着用リブと該支柱部材の見付け面に当接するビス固着面を有し、該固着部材は前記ビス固着用リブとビス固着面にて前記支柱部材の前面にビスにて固定され、該固定された固着部材は支柱部材の両側に横桟支持アームを突設する形状となし、また、前記支柱部材の支柱間を手摺笠木と平行に設置される横桟部材は角パイプ形状の横桟部材を前部材と後部材に分割し、該前部材の分割位置にビス受け厚肉部を有する中間リブを構成して前記横桟接合部に設けられた固着部材の横桟支持アームを介して前記支柱部材の前面に前部材をビスで固着可能となし、
該前部材の分割位置に構成した嵌合構造と対応する嵌合構造を前記後部材の分割位置に設けて支柱部材に固設した前部材に対して支柱間の内法寸法長さに裁断した後部材を該前部材に嵌合して一体化する構成とすることが好ましい。
【００２６】
また、本発明は、アルミ押出形材で構成するバルコニー等の手摺において、建物の躯体部に立設される支柱部材は見付け面が見込み面に対してきわめて細い略フラットバー形状の支柱部材となし、該略フラットバー形状の支柱部材に設置される固着部材は前記支柱部材の見込み面に当接するビス固着用リブと該支柱部材の見付け面に当接するビス固着面を有し、該固着部材は前記ビス固着用リブから螺着される一本のビスとビス固着面にて前記支柱部材の前面に螺着される一本のビスにて固定され、該固定された固着部材は支柱部材の両側に横桟支持アームを突設する形状となし、また、前記支柱部材の支柱間を手摺笠木と平行に設置される横桟部材は角パイプ形状で細身の横桟部材を前部材と後部材に分割し、該前部材の分割位置にビス受け厚肉部を有する中間リブを構成して前記横桟接合部に設けられた固着部材の横桟支持アームを介して前記支柱部材の前面に前部材をビスで固着可能となし、該前部材の分割位置に構成した嵌合構造と対応する嵌合構造を前記後部材の分割位置に設けて支柱部材に固設した前部材に対して支柱間の内法寸法長さに裁断した後部材を該前部材に嵌合して一体化する構成とすることが好ましい。
【００２７】
また、本発明において、支柱部材の横桟接合部に設置される固着部材は、中央に前記支柱部材を挟持して支柱部材の両側の見込み面に当接する二本のビス固着用リブと該支柱部材の見付け面に当接するビス固着面を有し、また、該固着部材は前記二本のビス固着用リブと支柱部材の見付け面に当接するビス固着面にて支柱部材にビスにて螺着固定され、該支柱部材を挟んで支柱部材前面の両側に横桟支持アームを形成している構成とすることが好ましい。
【００２８】
また、本発明において、支柱部材の横桟接合部に設置される固着部材は、前記支柱部材の見込み面に当接するビス固着用リブと該支柱部材の見付けに当接するビス固着面を有し、該固着部材は前記ビス固着用リブとビス固着面にて前記支柱部材の前面にビスにて固定され、該固定された固着部材は支柱部材の両側に横桟支持アームを突設する形状となし、該固着部材の横桟支持アームを介して横桟部材の前部材を前記支柱部材の前面にビスで固着可能となし、該前部材の後方に支柱間の内法寸法長さに裁断した後部材を嵌合して一体化することでトップレールの横桟を支柱間に固着する構成とすることが好ましい。
【００２９】
更にまた、本発明において、支柱部材の横桟接合部に設置される固着部材は、前記支柱部材の見込み面に当接するビス固着用リブと該支柱部材の見付け面に当接するビス固着面を有し、該固着部材は前記ビス固着用リブとビス固着面にて前記支柱部材の前面にビスにて固定され、該固定された固着部材は支柱部材の両側に横桟支持アームを突設する形状となし、該固着部材の横桟支持アームを介して横桟部材の前部材を前記支柱部材の前面にビスで固着可能となし、該前部材の後方に支柱間の内法寸法長さに裁断した後部材を嵌合して一体化することで横桟形状のルーバー格子材を支柱間に固着して横ルーバータイプの手摺を形成する構成とすることが好ましい。
【実施例１】
【００３０】
図１（ａ）、（ｂ）及び、図２（ａ）、（ｂ）は、本発明の実施により組み立てられるバルコニー等の手摺形状例を示すもので、図１（ａ）は、コンクリートにて構成された腰壁上部に設置される１段笠木横桟２段タイプのトップレールを示す正面図、図１（ｂ）は、その断面図を示している。
【００３１】
また、図２（ａ）は、横桟形状のルーバー格子材を支柱間に固着した横ルーバタイプのバルコニー用手摺を示す正面図、図２（ｂ）はその断面図を示している。
【００３２】
図１において、１は笠木、２ａ、２ｂ、２ｃ・・・は前記笠木を上端部で保持した支柱部材、３ａ、３ｂは横桟部材、４はコンクリートにて構成された手摺腰壁、５はそれぞれの前記支柱部材２ａ、２ｂ、２ｃ・・・根元部に設置された化粧カバー、６は支柱部材２ａ、２ｂ、２ｃ・・・を手摺腰壁４に植設して固定するための取付ボルトを示している。
【００３３】
斯くして、上記、１段笠木横桟２段タイプのトップレール７は、通常、手摺腰壁４の天端から、３００〜４５０ｍｍ程度の高さを有しており、笠木１と手摺腰壁４の天端間に例えば、二本の横桟部材３ａ、３ｂが配置されている。
【００３４】
また、笠木１は、幅７５ｍｍ、高さ２７ｍｍ程の部材寸法を有し、横桟部材３ａ、３ｂは幅４０ｍｍ、高さ２２程度の角パイプ形状の細い部材寸法を有し、該横桟部材３ａ、３ｂは前部材８と後部材９にそれぞれ二分割されており、また、組立時には嵌合可能な形状を有している。  
【００３５】
そして、トップレール７は、図１（ａ）にて示す如く、支柱部材２ａ、２ｂ、２ｃが、それぞれ見付け面１０において９ｍｍ、図１（ｂ）にて示す見込み面１１において５０ｍｍという寸法を有しており、前記、横桟部材３ａ、３ｂの細身の部材構成と相俟って、図１（ａ）の正面図の形状の如くスリムなデザインで、且つ、該トップレール７は正面から見ると笠木１と同様に横通しのラインが強調され、該横通しのラインはクロスする支柱部材２ａ、２ｂ、２ｃ・・・によって中断されることのないデザインとなっている。
【００３６】
また、図２（ａ）、（ｂ）は、本発明の実施により、組立される横桟形状のルーバー格子材を支柱間に固着した横ルーバタイプのバルコニー用手摺を示すもので、図２において、１は笠木、２ａ、２ｂ・・・は前記笠木を上端部で保持した支柱部材、１２ａ、１２ｂ、１２ｂ・・・は横桟形状のルーバー格子材、１３はコンクリート躯体、５はそれぞれの前記支柱部材２ａ、２ｂ・・・根元部に設置された化粧カバー、１４は支柱部材２ａ、２ｂ・・・のコンクリート躯体１３への植設部を示している。
【００３７】
斯くして、上記、横ルーバタイプのバルコニー用手摺１５は、通常、コンクリート躯体１３の天端から、１１００〜１２００ｍｍ程度の高さを有しており、笠木１とコンクリート躯体１３の天端間に十から十二本の横桟形状のルーバー格子材１２ａ、１２ｂ、１２ｂ・・・が配置されている。
【００３８】
また、笠木１は、図１と同様に幅７５ｍｍ、高さ２７ｍｍ程の部材寸法を有し、横桟形状のルーバー格子材１２ａ、１２ｂ、１２ｂ・・・は幅４０ｍｍ、高さ２２ｍｍ程度の角パイプ形状の細い部材寸法を有し、該ルーバー格子材１２ａ、１２ｂ、１２ｂ・・・は前部材８と後部材９にそれぞれ二分割されており、また、組立時には嵌合可能な形状を有している。
【００３９】
そして、横ルーバタイプのバルコニー用手摺１５は、図２（ａ）にて示す如く、支柱部材２ａ、２ｂ・・・が、それぞれ見付け面１０において９ｍｍ、図２（ｂ）にて示す見込み面１１において５０ｍｍという寸法を有しており、前記、ルーバー格子材１２ａ、１２ｂ、１２ｂ・・・の細身の部材構成と相俟って、図２（ａ）の正面図の形状の如くスリムなデザインで、且つ、該横ルーバタイプのバルコニー用手摺１５は正面から見ると笠木１と同様に横通しのラインが強調され、該横通しのラインはクロスする支柱部材２ａ、２ｂ・・・によって中断されることのないデザインとなっている。
【００４０】
而して、本発明の実施例１は、上述したトップレール７の横桟部材３ａ、３ｂのジョイント部材１６、及び横ルーバタイプのバルコニー用手摺１５の横桟形状のルーバー格子材１２ａ、１２ｂ、１２ｂ・・・の新規なジョイント部材１６を提供する。
【００４１】
図３（ａ）、（ｂ）、（ｃ）は、本発明のジョイント部材による支柱部材と横桟部材とのジョイント方法を説明する斜視説明図、図４は、図３により組立られたジョイント部の形状を説明する断面図、図５は、図３にて使用される固着部材の形状を説明する斜視図、図６は、固着部材の他の形状例を説明する斜視図である。
【００４２】
図３乃至図６において、図１及び図２と同一符号は同一構成要素を示し、図３は、図１の支柱部材２ａ、２ｂ、２ｃ・・・と横桟部材３ａ、または、３ｂ部分の拡大斜視図を示している。
【００４３】
図３乃至図６において、２ａは支柱部材、３ａは横桟部材で前部材８と後部材９からなる。前記支柱部材２ａの見付け面１０及び見込み面１１には、ジョイント部材１６となる固着部材１７が設けられており、該固着部材１７は前記支柱部材２ａの見込み面１１に当接するビス固着用リブ１８と該支柱部材２ａの見込み面１０に当接するビス固着面１９を有し、該固着部材１７は前記ビス固着用リブ１８とビス固着面１９にて前記支柱部材２ａの前面にビス２０、ビス２１にて固定され、該固定された固着部材１８は支柱部材２ａの両側に横桟支持アーム２２ａ、２２ｂを突設する形状に構成されている。
【００４４】
また、前記支柱部材２ａ、２ｂ間を手摺笠木１と平行に設置される横桟部材３ａは角パイプ形状の横桟部材３ａを前部材８と後部材９に分割し、該前部材８の分割位置にビス受け厚肉部２３を有する中間リブ２４を構成して前記横桟接合部に設けられた固着部材１８の横桟支持アーム２２ａ、２２ｂを介して前記支柱部材２ａの前面に前部材８をビス２５ａ、２５ｂで図３（ｂ）の如く固着可能に構成している。
【００４５】
そして、前記前部材８の分割位置に構成した嵌合突起２６ａ、２６ｂと対応する嵌合溝部２７ａ、２７ｂを前記後部材９の分割位置に設けて支柱部材２ａに固設した前部材８に対して、例えば支柱部材２ａ、２ｂ間の内法寸法長さに裁断した後部材９を前部材８に嵌合して図３（ｃ）、または、図４の如く前部材８と後部材９を一体化して、横桟部材３ａを支柱部材２ａに固着する。
【００４６】
従って、前記、横桟部材３ａと支柱部材２ａの固着形状は、支柱部材２ａ、２ｂ、２ｃ・・・に対して横桟部材３ａの横通しのデザインを有する手摺を提供するもので、前記、固着部材１７は、支柱部材２ａの見付け面１０と見込み面１１の異なる面でのビス２０、ビス２１による固着となり、支柱部材２ａの見付け面１０が極端に小さくなってもビス２０、ビス２１の螺設ピッチが大きくとれることから、横桟部材３ａ、３ｂ、３ｃ・・・を支柱部材２ａ、２ｂ、２ｃ・・・に堅牢に固着できる。
【００４７】
而して、本発明は、図５に示す如く、支柱部材２ａ、２ｂ、２ｃ・・・の横桟接合部に設置される固着部材１７は、前記支柱部材２ａ、２ｂ、２ｃ・・・の見込み面１１に当接するビス固着用リブ１８と該支柱部材２ａの見付け面１０に当接するビス固着面１９を有し、該固着部材１７は前記ビス固着用リブ１８とビス固着面１９にて前記支柱部材２ａの前面にビス２０、ビス２１にて固定され、該固定された固着部材１７は支柱部材２ａの両側に横桟支持アーム２２ａ、２２ｂを突設する形状となし、該固着部材１７の横桟支持アーム２２ａ、２２ｂを介して横桟部材３ａの前部材８を前記支柱部材２ａの前面にビス２５ａ、２５ｂで固着可能としている。
【００４８】
また、図６は、接合、固着する横桟部材３ａ、３ｂ、３ｃ・・・が多少大きな角パイプ形状の部材になった場合に用いられる固着部材１７の形状例を示すもので、見付け面１０に螺着されるビス２０は、支柱部材２ａの幅を配慮して一本とし、他の固着用ビスは各二本組として、固着強度を増すこともできる。
【００４９】
また、本発明の具体的な実施例は図１（ａ）、（ｂ）に示した一段笠木横桟二段のトップレールを例に説明をしてきたが、本発明は、図２（ａ）、（ｂ）にてその構成を説明した横ルーバタイプのバルコニー用手摺１５における横桟形状のルーバー格子材１２ａ、１２ｂ、１２ｂ・・・等のジョイント部材１６に使用することも可能である。
【実施例２】
【００５０】
図７は、実施例２を説明する斜視図であり、図５と同一符号は同一構成要素をしめしている。
【００５１】
実施例２は、本発明のジョイント部材１６における固着部材１７の形状を示し、該固着部材１７は、中央に前記支柱部材２ａを挟持して支柱部材２ａの両側の見込み面１１に当接する二本のビス固着用リブ２８ａ、２８ｂと、該支柱部材２ａの見付け面に当接するビス固着面１９を有し、また、該固着部材１７は前記二本のビス固着用リブ２８ａ、２８ｂと支柱部材２ａの見付け面１０に当接するビス固着面１９にて支柱部材２ａを挟んで固着可能で、該固着された固着部材１７は支柱部材２ａ前面の両側に横桟支持アーム２２ａ、２２ｂを形成して横桟部材３ａ、３ｂ、３ｃ・・・をジョイントできる。
【００５２】
また、本発明のもう一つの要旨は、アルミ押出形材で構成するバルコニー等の手摺において、建物の躯体部に立設される支柱部材２ａ、２ｂ、２ｃ・・・は見付け面１０が見込み面１１に対してきわめて細い略フラットバー形状の支柱部材２ａ、２ｂ、２ｃ・・・となし、該略フラットバー形状の支柱部材に設置される固着部材１７は前記支柱部材２ａ、２ｂ、２ｃ・・・の見込み面１１に当接するビス固着用リブ１８と該支柱部材の見付け面１０に当接するビス固着面１９を有し、該固着部材１７は前記ビス固着用リブ１８から螺着される一本のビス２１とビス固着面１９にて前記支柱部材２ａの前面に螺着される一本のビス２０にて固定され、該固定された固着部材１７は支柱部材２ａの両側に横桟支持アーム２２ａ、２２ｂを突設する形状とする。
【００５３】
そして、前記支柱部材２ａ、２ｂの支柱間を手摺笠木１と平行に設置される横桟部材３ａ、３ｂは、角パイプ形状で細身の横桟部材３ａ、３ｂを前部材８と後部材９に分割し、該前部材８の分割位置にビス受け厚肉部２３を有する中間リブ２４を構成して前記横桟接合部に設けられた固着部材１７の横桟支持アーム２２ａ、２２ｂを介して前記支柱部材２ａの前面に前部材８をビス２５ａ、２５ｂで固着可能となし、該前部材８の分割位置に構成した嵌合構造の嵌合突起２６ａ、２６ｂと対応する嵌合構造の嵌合溝部２７ａ、２７ｂを前記後部材９の分割位置に設けて支柱部材２ａに固設した前部材８に対して支柱部材２ａ、２ｂ間の内法寸法長さに裁断した後部材９を該前部材８に嵌合して一体化する構成としている。
【産業上の利用可能性】
【００５４】
而して、本発明は、従来の横桟部材のジョイント部材の欠点を改良し、、比較的細身の手摺支柱材に対して堅牢に螺着して固定できる手摺における支柱と横部材のジョイント部材を提供するものである。
【００５５】
また、本発明は、手摺支柱材が、手摺のデザイン的な制約により、極端にその見付け寸法を小さくされた場合、即ち、特許文献１における手摺支柱材の前面となる見付け寸法が２０〜３０ｍｍで、該支柱材の見込み寸法が５０ｍｍであるのに対して、同じく手摺支柱材の前面となる見付け寸法は９ｍｍで、見込み寸法が５０ｍｍと云った略フラットバー形状の手摺支柱の場合にも、充分な強度を持って螺着して固定できるジョイント部材を提供するものである。
【００５６】
そして、上記構成の手摺支柱材は、アルミ押出形材の場合には、略フラットバー形状であるが、該手摺支柱材をステンレス製のフラットバーで、例えば、９ｍｍ×５０ｍｍの部材に替えることにより、笠木や横桟がアルミ押出形材製で、手摺支柱がステンレス製という複合的材料を用いたトップレールや、横ルーバータイプの手摺を提供するものである。  
【００５７】
また、本発明は、角材形状の横桟を支柱間に取り付けてトップレールを形成したり、横桟形状のルーバー格子材等を何段にも支柱に取り付けて横ルーバータイプの手摺を形成するジョイント部材を提供するもので、該ジョイント部材にて接合、固着される横桟、または横桟形状のルーバー格子材は支柱に対して横通しのデザインを有する手摺を提供するものである。
【００５８】
更にまた、本発明は、見付け面が極端に小さい細身の略フラットバー形状の支柱に細身の角材形状の横桟を取り付けてトップレールを形成したり、前記略フラットバー形状の支柱に、細身の横桟形状からなるルーバー格子材等を何段にも取り付けて横ルーバータイプの手摺を形成するジョイント部材を提供するもので、これらの効果を有する本発明は、多大な産業上の利用の可能性を有している。
【図面の簡単な説明】
【００５９】
【図１】本発明の実施により組立られるトップレールを示す正面図、及び断面          図である。
【図２】本発明の実施により組立られる横ルーバタイプのバルコニー用手摺を          示す正面図、及び断面図である。
【図３】本発明のジョイント部材による支柱部材と横桟部材とのジョイント方          法を説明する斜視説明図である。
【図４】図３により組立られたジョイント部の形状を説明する断面図である。
【図５】図３にて使用される固着部材の形状を説明する斜視図である。
【図６】固着部材の他の形状例を説明する斜視図である。
【図７】本発明の実施例２に使用される固着部材の形状例を説明する斜視図で          ある。
【符号の説明】
【００６０】
１  笠木
２ａ、２ｂ、２ｃ・・・  支柱部材  
３ａ、３ｂ  横桟部材
４  手摺腰壁
５  化粧カバー
６  取付ボルト
７  トップレール
８  前部材
９  後部材  
１０  見付け面
１１  見込み面
１２ａ、１２ｂ、１２ｂ・・・  横桟形状のルーバー格子材
１３  コンクリート躯体
１４  コンクリート躯体への植設部
１５  横ルーバタイプのバルコニー用手摺
１６  ジョイント部材
１７  固着部材  
１８  ビス固着用リブ  
１９  ビス固着面
２０  ビス
２１  ビス
２２ａ、２２ｂ  横桟支持アーム
２３  ビス受け厚肉部
２４  中間リブ
２５ａ、２５ｂ  ビス
２６ａ、２６ｂ  嵌合突起
２７ａ、２７ｂ  嵌合溝部
２８ａ、２８ｂ  ２本のビス固着用リブ
【図１ａ】
0004465332.tif 000002
【図１ｂ】
0004465332.tif 000003
【図２ａ】
0004465332.tif 000004
【図２ｂ】
0004465332.tif 000005
【図３ａ】
0004465332.tif 000006
【図３ｂ】
0004465332.tif 000007
【図３ｃ】
0004465332.tif 000008
【図４】
0004465332.tif 000009
【図５】
0004465332.tif 000010
【図６】
0004465332.tif 000011
【図７】
0004465332.tif 000012